(57)【要約】【課題】  交差する二本の被結束物が振動などでばらつくことのないように強固に交差状に結合でき、また部材点数の減少および結束作業性の向上を図れる結束用クロスバンドを提供する。【解決手段】  交差する二本の被結束物２，３の交差部において一本の被結束物２に巻き付ける合成樹脂製の第１バンド４と、もう一本の被結束物３に巻き付ける第２バンド５とからなる。第２バンド５は可撓性の第２バンド部１４と、この第２バンド部の基端に一体に形成され、第２バンド部の先端部１５が抜止め状に挿入される第２バンド部通し係止孔１６を設けた第２バンドヘッド部１７とを有する。第１バンド４は、可撓性の第１バンド部７と、この第１バンド部の基端７ａに一体に形成された第１バンドヘッド部８とを有し、第１バンドヘッド部に第１バンド部の先端部９が抜止め状に挿入される第１バンド部通し係止孔１０と、第２バンド５が挿通される第２バンド通し孔１１とを互いに直交する方向に設ける。【選択図】    図１
2006182379.tif 000002
【特許請求の範囲】
【請求項１】
互いに交差する二本の被結束物の交差部において一本の被結束物に巻き付ける合成樹脂製の第１バンドと、もう一本の被結束物に巻き付ける第２バンドとからなり、
前記第２バンドが、その長手方向に複数の係合突起を列設した可撓性の第２バンド部と、この第２バンド部の基端に一体に形成され、第２バンド部の先端部が挿通可能でかつ前記係合突起が抜止め係合する係止爪を有する第２バンド部通し係止孔を設けた第２バンドヘッド部とを備えており、
前記第１バンドが、その長手方向に複数の係合突起を列設した可撓性の第１バンド部と、この第１バンド部の基端に一体に形成された第１バンドヘッド部とを備え、前記第１バンドヘッド部に前記第１バンド部の先端部が挿通可能でかつ前記係合突起が抜止め係合する係止爪を有する第１バンド部通し係止孔と、前記第２バンドが挿通される第２バンド通し孔とが互いに直交する方向に設けられていることを特徴とする、結束用クロスバンド。
【請求項２】
前記第１バンド部の基端が略直角に曲がる円弧形状に形成され、この円弧形状の基端の遊端側に前記第１バンドヘッド部が略直角に一体に形成されている、請求項１記載の結束用クロスバンド。
【発明の詳細な説明】
【技術分野】
【０００１】
本発明は、油圧ホース等被結束物と他の配線等被結束物とを交差状に結束するのに好適に用いられる結束用クロスバンドに関する。
【背景技術】
【０００２】
二本の被結束物を交差状に結束する締付固定具として、たとえば、図９に示すように、柵の縦枠と横枠など二本の内外杆状体３０，３１の交差部において、内側杆状体３０の略全周を囲繞する左右の調節バンド３２，３３と、該調節バンド３２，３３から延設され、外側杆状体３１を囲繞係止せしめるフック状に形成した鋼線からなるバンド部３４と、左右の調節バンド３２，３３の両端を遠近可能に調節する調節ネジ３５を備えた締付調節部３６とから構成されたものがある（例えば、特許文献１参照。）。これによれば、二本の内外杆状体３０，３１を、交差状に重接させた状態で、簡単かつ適切に締付固定することができるというものである。
【０００３】
【特許文献１】特開２００３−９７５１８号公報
【発明の開示】
【発明が解決しようとする課題】
【０００４】
しかるに、上記締付固定具では、フック状のバンド部３４を一方の杆状体３１に係止させるものであるため、二本の交差する被結束物たる内外杆状体３０，３１が振動を繰り返して受けると、フック状のバンド部３４が外側杆状体３１から外れたり、これにより内外杆状体３０，３１の位置ずれや散けが生じたりする恐れがある。したがって、例えば、振動の多い油圧ショベル等機械や車両などに配管、配線される油圧ホースや配線など被結束物を交差状に結合する結束具としては適していない。また、左右の調節バンド３２，３３、フック状のバンド部３４、および調節ネジ３５を備える締付調節部３６など数多い部材を要し、締付作業にあたっては締付調節部３６の調節ネジ３５をスパナ等工具で回さなければならず、作業性においても難がある。
【０００５】
本発明は、このような問題を解決するためになされたものであり、その目的とするところは、互いに交差する二本の被結束物を簡単かつ強固に結合でき、とくに、油圧ショベル等振動の多い機械や車両などに配管、配線されたホースやケーブルなどの結束において、交差する二本の被結束物が振動などで位置ずれや散けが生じることのないように強固に交差状に結合でき、また部材点数の減少および結束作業性の向上を図れる結束用クロスバンドを提供することにある。
【課題を解決するための手段】
【０００６】
本発明の結束用クロスバンドは、互いに交差する二本の被結束物の交差部において一本の被結束物に巻き付ける合成樹脂製の第１バンドと、もう一本の被結束物に巻き付ける第２バンドとからなり、前記第２バンドが、その長手方向に複数の係合突起を列設した可撓性の第２バンド部と、この第２バンド部の基端に一体に形成され、第２バンド部の先端部が挿通可能でかつ前記係合突起が抜止め係合する係止爪を有する第２バンド部通し係止孔を設けた第２バンドヘッド部とを備えており、前記第１バンドが、その長手方向に複数の係合突起を列設した可撓性の第１バンド部と、この第１バンド部の基端に一体に形成された第１バンドヘッド部とを備え、前記第１バンドヘッド部に前記第１バンド部の先端部が挿通可能でかつ前記係合突起が抜止め係合する係止爪を有する第１バンド部通し係止孔と、前記第２バンドが挿通される第２バンド通し孔とが互いに直交する方向に設けられていることに特徴を有するものである。
【０００７】
この場合において、前記第１バンド部の基端は略直角に曲がる円弧形状に形成し、この円弧形状部の遊端側に前記第１バンドヘッド部を略直角に一体に形成することができる。
【発明の効果】
【０００８】
上記構成の結束用クロスバンドによれば、第１バンドの基端に一体に形成されて第１バンド通し係止孔を有する第１バンドヘッド部に、第２バンドが挿通される第２バンド通し孔を第１バンド通し係止孔と直交する方向に設けてある。したがって、互いに交差する二本の被結束物の一方に第１バンドを巻き付けて該先端部を第１バンド通し係止孔に抜止め状に挿入し、第２バンド通し孔に挿通される第２バンドを他方の被結束物に巻き付けて該先端部を第２バンド部通し係止孔に抜止め状に挿入することにより交差する二本の被結束物を強固に結合できる。
また、この交差する二本の被結束物どうしの結合状態は、一方の被結束物に巻き付け固定された第１バンドに一体形成された第１バンドヘッド部の第２バンド通し孔に、他方の被結束物に巻き付け固定された第２バンドが挿通されて第１バンドと第２バンドとが交差状に連結されていることにより確実に保持され、繰り返し振動により外れるようなことは全くない。したがって、とくに、油圧ショベル等振動の多い機械や車両などにおいて交差状に配管、配線されたホースやケーブルなどのクロス結束にきわめて有利である。
【０００９】
しかも、使用に際しては、第１バンドと第２バンドの二部材のみで足り、第１バンドを交差する二本の被結束物の一方に、第２バンドをもう一方の被結束物にそれぞれ巻き付けて第１，２バンドの各先端部を第１，２バンド部通し係止孔にそれぞれ挿通させるだけの簡単な作業で足り、作業性に優れる。
【００１０】
第１バンド部の基端は略直角に曲がる円弧形状に形成しておくと、その円弧形状の基端を被結束物の外周に沿わせて巻き付け易くなる。また、円弧形状の基端の遊端側に第１バンドヘッド部を略直角に一体に形成しておくと、第１バンドを被結束物に巻き付けることにより第１バンドヘッド部は該被結束物の外周一部から他の被結束物に向かって突出させることができる。したがって、第２バンドを他の被結束物に巻き付けるに伴い第１バンドヘッド部の突出端面に対し他の被結束物の外周面一部を確実に当接固定させることができ、二本の被結束物が交差する状態をより一層安定確実に保持できて有利である。
【発明を実施するための最良の形態】
【００１１】
本発明の好適な実施形態を図面に基づき説明する。図１は本発明の一実施例を示す結束用クロスバンドの使用態様例を示す斜視図、図２は図１に示す結束用クロスバンドの第１バンドの平面図、図３は図２におけるＡ−Ａ線断面図、図４は図２に示す第１バンドの側面図、図５は図２に示す第１バンドのヘッド部の斜視図、図６は図２に示す第１バンドのヘッド部の断面図、図７は図１に示す結束用クロスバンドの第２バンドの平面図、図８は図７に示す第２バンドの断面図である。
【００１２】
図１において、本発明に係る結束用クロスバンド１は、互いに交差する二本の被結束物２，３の交差部において、一本の被結束物２に巻き付ける合成樹脂製の第１バンド４と、もう一本の被結束物３に巻き付ける第２バンド５とからなる。
【００１３】
第１バンド４は、図２〜図６に示すように、全体がナイロン、ポリプロピレン等の合成樹脂からなる成形品であって、その長手方向に複数の係合突起６を列設した可撓性の第１バンド部７と、この第１バンド部７の基端７ａに一体に形成された角柱形状の第１バンドヘッド部８とを有してなる。第１バンド部７の基端７ａは略直角に曲がる円弧形状に形成され、この円弧形状の基端７ａの遊端側に第１バンドヘッド部８が略直角に一体に形成される。そして、この第１バンドヘッド部８における第１バンド部７の基端７ａとの付け根側寄りの内側には第１バンド部７の先端部９が矢印方向ａ（図３参照）から挿通される第１バンド部通し係止孔１０が第１バンド長手方向と一致する方向に貫通するよう設けられるとともに、該第１バンド部通し係止孔１０の外側に位置する箇所には第２バンド５が挿通される第２バンド通し孔１１が第１バンド通し孔１０と直交する方向に設けられている。第１バンド部通し係止孔１０の内部には、第１バンド部７が先端部９から該通し係止孔１０に矢印方向ａに挿入されると係合突起６が反挿入方向に引抜き不可能に係合する弾性変形自在な一個もしくは複数個の係止爪１２が一体に形成されている。
【００１４】
第２バンド５はそれ自体公知のものであり、図７、図８に示すように、全体が第１バンド４と同様にナイロン、ポリプロピレン等の合成樹脂からなる成形品であって、その長手方向に複数の係合突起１３を列設した可撓性の第２バンド部１４と、この第２バンド部１４の基端に一体に形成され、第２バンド部１４の先端部１５が引抜き不可能に挿通される第２バンド部通し係止孔１６を設けた第２バンドヘッド部１７とを有してなる。第２バンド部通し係止孔１６の内部には、第２バンド部１４が先端部１５から該通し係止孔１６に矢印方向ｂ（図７参照）に挿入されると係合突起１３が反挿入方向に引抜き不可能に係合する弾性変形自在な係止爪１８が一体に形成されている。
【００１５】
次に、上記構成の結束用クロスバンド１を用いて、例えば油圧ショベルに配管された油圧ホースなど被結束物２とこれに交差する配線など被結束物３とを結束する使用要領について図１を参照にして説明する。
第１バンド４と第２バンド５とは、使用に先立って、第２バンド５を第１バンドヘッド部８の第２バンド通し孔１１に挿通することで連結しておく使用方法と、使用時に第２バンド５を被結束物３に巻き付ける前に第２バンド５を第１バンドヘッド部８の第２バンド通し孔１１に挿通して連結する使用方法とがある。
【００１６】
先ず、前者の使用方法に基づく使用要領について図１を参照にして説明する。
使用に先立って、第１バンドヘッド部８の第２バンド通し孔１１に第２バンド５をこれの先端部１５から挿通することで第１バンド４と第２バンド５とを連結しておく。かくして、被結束物２に第１バンド４を強く巻き付けてその先端部９を第１バンド部通し係止孔１０に挿入する。すると、第１バンド部７の係合突起６が係止爪１２に引戻し不能に係合するため、第１バンド部７が第１バンド部通し係止孔１０内に引抜き不可能になって被結束物２の確固たる巻き付け状態を得る。その際、第１バンド部７の基端７ａは略直角に曲がる円弧形状に形成されているので、その円弧形状の基端７ａを被結束物２の外周に沿わせて巻き付け易い。また、第１バンド部７の基端７ａに第１バンドヘッド部８が略直角に一体に形成されているので、第１バンド４を被結束物２に巻き付けることにより第１バンドヘッド部８を被結束物２の外周一部から他の被結束物３に向かって突出させることができる。なお、最後に、第１バンド部通し係止孔１０から突出する先端部９は適宜切断される。
【００１７】
しかる後、被結束物２に交差させた被結束物３に第２バンド５を強く巻き付けてその先端部１５を第２バンド部通し係止孔１６に挿入すると、第２バンド部７の係合突起１３が係止爪１８に引戻し不能に係合するため、第２バンド部７が第２バンド部通し係止孔１６内に引抜き不可能になって被結束物３の確固たる巻き付け状態を得る。また、被結束物３に第２バンド５を強く巻き付けることにより被結束物２を第１バンド４を介して被結束物３の方へ引き寄せるとともに、該被結束物３の被結束物２に向き合う外周面一部を第１バンドヘッド部８の突出端面８ａに対し強く押し付けて安定確実に当接固定させることができる。なお、最後に、第２バンド部通し係止孔１６から突出する先端部１５は適宜切断される。
【００１８】
次に、後者の使用方法に基づく使用要領について説明する。先ず、被結束物２に第１バンド４を強く巻き付けてその先端部９を第１バンド部通し係止孔１０に挿入する。すると、前述のとおり、第１バンド部７の係合突起６が係止爪１２に引戻し不能に係合するため、第１バンド部７が第１バンド部通し係止孔１０内に引抜き不可能になって被結束物２の巻き付け状態を得る。次いで、第１バンドヘッド部８の第２バンド通し孔１１に第２バンド５をこれの先端部１５から挿通することで第１バンド４に第２バンド５を連結する。しかる後、被結束物２に交差させた被結束物３に第２バンド５を強く巻き付けてその先端部１５を第２バンド部通し係止孔１６に挿入する。すると、前述のとおり、第２バンド部７の係合突起１３が係止爪１８に引戻し不能に係合し、第２バンド部７が第２バンド部通し係止孔１６内に引抜き不可能になって被結束物３の確固たる巻き付け状態を得ることができ、また被結束物２を第１バンド４を介して被結束物３の方へ引き寄せるとともに、該被結束物３の外周面一部を第１バンドヘッド部８の突出端面８ａに対し強く押し付けて確実に当接固定させることができる。
【００１９】
このようにいずれの使用方法を採用しても互いに交差する二本の被結束物２，３どうしの結合状態は、第２バンド５が第１バンドヘッド部８に第１バンド部通し係止孔１０と直交するように設けた第２バンド通し孔１１に挿通されていることにより確実に保持され、かかる保持状態によれば振動が繰り返して加えられても外れることは全くない。したがって、とくに、油圧ショベルなど振動の多い機械や車両などにおいて交差状に配管、配線された被結束物のクロス結束にきわめて有利である。
【図面の簡単な説明】
【００２０】
【図１】本発明の一実施例を示す結束用クロスバンドの使用態様例を示す斜視図である。
【図２】図１に示す結束用クロスバンドの第１バンドの平面図である。
【図３】図２におけるＡ−Ａ線断面図である。
【図４】同第１バンドの側面図である。
【図５】図２に示す第１バンドのヘッド部の斜視図である。
【図６】図２に示す第１バンドのヘッド部の断面図である。
【図７】図１に示す結束用クロスバンドの第２バンドの平面図である。
【図８】図４に示す第２バンドの断面図である。
【図９】従来例の締付固定具を使用態様で示す斜視図である。
【符号の説明】
【００２１】
１  結束用クロスバンド
２，３  交差する被結束物
４  第１バンド
５  第２バンド
６  第１バンド部の係合突起
７  第１バンド部
７ａ  第１バンド部の基端
８  第１バンドヘッド部
９  第１バンド部の先端部
１０  第１バンド部通し係止孔
１１  第２バンド通し孔
１２  第１バンド部の係止爪
１３  第２バンド部の係合突起
１４  第２バンド部
１５  第２バンド部の先端部
１６  第２バンド部通し係止孔
１７  第２バンドヘッド部
１８  第２バンド部の係止爪
【図１】
2006182379.tif 000003
【図２】
2006182379.tif 000004
【図３】
2006182379.tif 000005
【図４】
2006182379.tif 000006
【図５】
2006182379.tif 000007
【図６】
2006182379.tif 000008
【図７】
2006182379.tif 000009
【図８】
2006182379.tif 000010
【図９】
2006182379.tif 000011